【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
伝送電極と、前記伝送電極と関連付けられた複数の受信電極を伴う、準静電界を発生させる電界センサデバイスのための電極配列であって、前記電極配列は、前記複数の受信電極から受信される信号から、前記電極配列の上方の物体の非接触ジェスチャを判定するように構成され、前記電極配列は、
前記伝送電極にフィードされる交流信号を発生させるように構成された信号発生器であって、前記信号発生器は、準静電近接場を発生させるように動作可能である、信号発生器と、
第１の伝導層および第２の伝導層を有する非伝導基板と
を備え、
前記複数の受信電極は、それぞれ、前記第１の伝導層の区分によって形成され、
前記伝送電極は、前記第２の伝導層の区分によって形成され、前記伝送電極は、前記受信電極より大きい面積を被覆し、前記伝送電極を形成する区分および／または受信電極は、第１の電極と第２の電極との間の静電容量を低減させるようにテクスチャ加工されている、電極配列。
【請求項２】
前記伝送電極を形成する区分のみは、少なくとも１つの切り欠き面積を備えるようにテクスチャ加工され、前記少なくとも１つの切り欠き面積は、受信電極の類似形態を有し、前記受信電極が前記切り欠き面積を被覆するように前記受信電極の下に位置する、請求項１に記載の電極配列。
【請求項３】
前記伝送電極を形成する区分全体は、ハッシュまたはハッチテクスチャによってテクスチャ加工されている、請求項１または２に記載の電極配列。
【請求項４】
前記受信電極のうちの少なくとも１つのみは、テクスチャ加工されている、請求項１に記載の電極配列。
【請求項５】
前記テクスチャは、複数の伝導線によって形成されている、請求項３または４に記載の電極配列。
【請求項６】
前記ハッシュまたはハッチテクスチャは、均質である、請求項３に記載の電極配列。
【請求項７】
前記ハッシュまたはハッチテクスチャは、編目を形成する複数の伝導線によって形成されている、請求項３−６のいずれかに記載の電極配列。
【請求項８】
前記編目は、第１の平行に配列された伝導線のセットと、前記第１の平行な線のセットと重なる第２の平行に配列された伝導線のセットとによって形成されている、請求項７に記載の電極配列。
【請求項９】
前記第１の平行に配列された伝導線のセットは、９０度の角度で前記第２の平行に配列された伝導線のセットに交差する、請求項８に記載の電極配列。
【請求項１０】
前記編目は、前記編目を包囲する周辺伝導線を備える、請求項８に記載の電極配列。
【請求項１１】
前記伝送電極は、複数の溝を提供するようにテクスチャ加工されている、請求項１または２に記載の電極配列。
【請求項１２】
前記溝は、所定の距離において平行に配列されている、請求項１１に記載の電極配列。
【請求項１３】
前記受信電極との電気接続のための複数の給電線をさらに備える、請求項１〜１２のいずれかに記載の電極配列。
【請求項１４】
４つの受信電極の少なくとも１セットは、長方形面積を画定するように配列されている、請求項１３に記載の電極配列。
【請求項１５】
前記４つの電極によって画定された長方形面積内に中心電極をさらに備える、請求項１４に記載の電極配列。
【請求項１６】
前記伝送電極を形成する区分は、編目電極としてテクスチャ加工され、前記４つの受信電極の少なくとも１セットによって画定された長方形面積のみを被覆する、請求項１４に記載の電極配列。
【請求項１７】
前記給電線は、約０．１５ｍｍの幅を有する、請求項１３−１６のいずれかに記載の電極配列。
【請求項１８】
前記第１の伝導層は、印刷回路基板の上層である、請求項１３−１７のいずれかに記載の電極配列。
【請求項１９】
前記第２の伝導層は、印刷回路基板の底層である、請求項１８に記載の電極配列。
【請求項２０】
前記第１の伝導層は、透明絶縁担体材料上の透明伝導上層である、請求項１−１７のいずれかに記載の電極配列。
【請求項２１】
前記第２の伝導層は、前記透明絶縁担体材料上の底層である、請求項２０に記載の電極配列。
【請求項２２】
前記給電線および前記伝送電極は、多層印刷回路基板の内側層内に配列されている、請求項１３−１９のいずれかに記載の電極配列。
【請求項２３】
前記多層印刷回路基板の底層は、接地に接続されている、請求項２２に記載の電極配列。
【請求項２４】
前記給電線を通して前記受信電極と結合されたフロントエンドアナログデバイスをさらに備える、請求項１３−２３のいずれかに記載の電極配列。
【請求項２５】
前記フロントエンドアナログデバイスは、前記給電線を通して受信される信号を減衰させるための分圧器を備える、請求項２４に記載の電極配列。
【請求項２６】
前記分圧器は、周波数補償を備える、請求項２５に記載の電極配列。
【請求項２７】
相互から電気的に絶縁された複数の第２の電極を備え、前記複数の第２の電極のそれぞれは、部分的伝送電極を形成する、請求項１〜２６のいずれかに記載の電極配列。
【請求項２８】
各伝送電極は、長方形電極区分によって形成されている、請求項２７に記載の電極配列。
【手続補正２】
【補正対象書類名】明細書
【補正対象項目名】０００７
【補正方法】変更
【補正の内容】
【０００７】
さらなる実施形態によると、第２の電極のみは、少なくとも１つの切り欠き面積を備えるようにテクスチャ加工されることができ、第２の電極は、第１の電極の類似形態を有し、第１の電極が切り欠き面積を被覆するように第１の電極の下に位置する。さらなる実施形態によると、第２の電極の面積全体は、ハッシュまたはハッチテクスチャによってテクスチャ加工されることができる。さらなる実施形態によると、テクスチャは、複数の伝導線によって形成されることができる。さらなる実施形態によると、ハッシュまたはハッチテクスチャは、均質であることができる。さらなる実施形態によると、ハッシュまたはハッチテクスチャは、編目を形成する複数の伝導線によって形成されることができる。さらなる実施形態によると、編目は、第１の平行に配列された伝導線のセットおよび第２の平行に配列された伝導線のセットによって形成されることができる。さらなる実施形態によると、第１の平行に配列された伝導線のセットは、９０度の角度で、該第２の平行に配列された伝導線のセットに交差してもよい。さらなる実施形態によると、編目は、編目を包囲する周辺伝導線を備えてもよい。さらなる実施形態によると、第２の電極は、複数の溝を提供するようにテクスチャ加工されることができる。さらなる実施形態によると、溝は、所定の距離において平行に配列されることができる。さらなる実施形態によると、第１の電極のみは、テクスチャ加工される。さらなる実施形態によると、電極配列はさらに、該第２の電極の上方に配列される複数の第１の電極と、該第２の電極への電気接続のための複数の給電線とを備えてもよい。さらなる実施形態によると、４つの第１の電極の少なくとも１セットは、長方形面積を画定するように配列されることができる。さらなる実施形態によると、電極配列はさらに、４つの電極によって画定される長方形面積内に、中心電極を備えてもよい。さらなる実施形態によると、第２の電極は、編目電極としてテクスチャ加工されることができ、４つの第１の電極の少なくとも１セットによって画定される長方形面積のみを被覆する。さらなる実施形態によると、給電線は、約０．１５ｍｍの幅を有してもよい。さらなる実施形態によると、第１の伝導層は、印刷回路基板の上層であることができる。さらなる実施形態によると、第２の伝導層は、印刷回路基板の底層であることができる。さらなる実施形態によると、第１の伝導層は、透明絶縁担体材料上の透明伝導上層であることができる。さらなる実施形態によると、第２の伝導層は、透明絶縁担体材料上の底層であることができる。さらなる実施形態によると、給電線および該第２の電極は、多層印刷回路基板の内側層内に配列されることができる。さらなる実施形態によると、多層印刷回路基板の底層は、接地に接続されることができる。さらなる実施形態によると、電極配列はさらに、該給電線を通して該受信電極と結合される、フロントエンドアナログデバイスを備えてもよい。さらなる実施形態によると、フロントエンドアナログデバイスは、該給電線を通して受信される信号を減衰させるための分圧器を備えてもよい。さらなる実施形態によると、分圧器は、周波数補償を備えてもよい。さらなる実施形態によると、電極配列は、相互から電気的に絶縁され、それぞれ、部分的伝送電極を形成する、複数の第２の電極を備えてもよい。さらなる実施形態によると、各伝送電極は、長方形電極区分によって形成されることができる。
本願明細書は、例えば、以下の項目も提供する。
（項目１）
少なくとも１つの伝送電極および少なくとも１つの受信電極を伴う、準静電界を発生させる電界センサデバイスのための電極配列であって、前記電極配列は、
第１の伝導層および第２の伝導層を有する非伝導基板と、
前記第１の伝導層内に配列される第１の電極であって、前記第１の電極は、前記電界センサデバイスの受信電極である、第１の電極と、
前記第２の伝導層内に配列される第２の電極であって、前記第２の電極は、前記電界センサデバイスの伝送電極であり、前記第２の電極は、前記第１の電極より大きい面積を被覆し、前記第１および／または第２の電極は、前記第１の電極と前記第２の電極との間の静電容量を低減させるようにテクスチャ加工されている、第２の電極と
を備える、電極配列。
（項目２）
前記第２の電極のみは、少なくとも１つの切り欠き面積を備えるようにテクスチャ加工され、前記少なくとも１つの切り欠き面積は、前記第１の電極の類似形態を有し、前記第１の電極が前記切り欠き面積を被覆するように前記第１の電極の下に位置する、項目１に記載の電極配列。
（項目３）
前記第２の電極の面積全体は、ハッシュまたはハッチテクスチャによってテクスチャ加工されている、項目１または２に記載の電極配列。
（項目４）
前記テクスチャは、複数の伝導線によって形成されている、項目３に記載の電極配列。
（項目５）
前記ハッシュまたはハッチテクスチャは、均質である、項目３に記載の電極配列。
（項目６）
前記ハッシュまたはハッチテクスチャは、編目を形成する複数の伝導線によって形成されている、項目３−５のいずれかに記載の電極配列。
（項目７）
前記編目は、第１の平行に配列された伝導線のセットおよび第２の平行に配列された伝導線のセットによって形成されている、項目６に記載の電極配列。
（項目８）
前記第１の平行に配列された伝導線のセットは、９０度の角度で前記第２の平行に配列された伝導線のセットに交差する、項目７に記載の電極配列。
（項目９）
前記編目は、前記編目を包囲する周辺伝導線を備える、項目７に記載の電極配列。
（項目１０）
前記第２の電極は、複数の溝を提供するようにテクスチャ加工されている、項目１または２に記載の電極配列。
（項目１１）
前記溝は、所定の距離において平行に配列されている、項目１０に記載の電極配列。
（項目１２）
前記第１の電極のみは、テクスチャ加工されている、項目１に記載の電極配列。
（項目１３）
前記第２の電極の上方に配列された複数の第１の電極と、前記第２の電極への電気接続のための複数の給電線とをさらに備える、項目１に記載の電極配列。
（項目１４）
４つの第１の電極の少なくとも１セットは、長方形面積を画定するように配列されている、項目１３に記載の電極配列。
（項目１５）
前記４つの電極によって画定された長方形面積内に中心電極をさらに備える、項目１４に記載の電極配列。
（項目１６）
前記第２の電極は、編目電極としてテクスチャ加工され、前記４つの第１の電極の少なくとも１セットによって画定された長方形面積のみを被覆する、項目１４に記載の電極配列。
（項目１７）
前記給電線は、約０．１５ｍｍの幅を有する、項目１３−１６のいずれかに記載の電極配列。
（項目１８）
前記第１の伝導層は、印刷回路基板の上層である、項目１３−１７のいずれかに記載の電極配列。
（項目１９）
前記第２の伝導層は、印刷回路基板の底層である、項目１８に記載の電極配列。
（項目２０）
前記第１の伝導層は、透明絶縁担体材料上の透明伝導上層である、項目１−１７のいずれかに記載の電極配列。
（項目２１）
前記第２の伝導層は、前記透明絶縁担体材料上の底層である、項目２０に記載の電極配列。
（項目２２）
前記給電線および前記第２の電極は、多層印刷回路基板の内側層内に配列されている、項目１３−１９のいずれかに記載の電極配列。
（項目２３）
前記多層印刷回路基板の底層は、接地に接続されている、項目２２に記載の電極配列。
（項目２４）
前記給電線を通して前記受信電極と結合されたフロントエンドアナログデバイスをさらに備える、項目１３−２３のいずれかに記載の電極配列。
（項目２５）
前記フロントエンドアナログデバイスは、前記給電線を通して受信される信号を減衰させるための分圧器を備える、項目２４に記載の電極配列。
（項目２６）
前記分圧器は、周波数補償を備える、項目２５に記載の電極配列。
（項目２７）
相互から電気的に絶縁された複数の第２の電極を備え、前記複数の第２の電極のそれぞれは、部分的伝送電極を形成する、先行項目のいずれかに記載の電極配列。
（項目２８）
各伝送電極は、長方形電極区分によって形成されている、項目２７に記載の電極配列。